(57)【要約】【課題】ＧＰＳによらず現在位置に対応した情報を提供する。【解決手段】カード型端末２０と、無線ＬＡＮ３０と、サーバ４０とを有し、無線ＬＡＮ３０と、サーバ４０とが通信網５０に接続されている情報提供システム１であって、  サーバ４０は、ＵＲＬで指定されるコンテンツを管理する手段を有し、  カード型端末２０は、無線ＬＡＮ３０の個々のアクセスポイントごとの設定情報及びコンテンツのＵＲＬを含む情報を記憶する手段と、順番に、個々のアクセスポイントごとの設定情報を用いて、個々のアクセスポイントとの接続を試みる手段と、接続できたアクセスポイントのコンテンツを、このコンテンツのＵＲＬで指定してサーバ４０から取得して表示する手段とを有することを特徴とする情報提供システム。【選択図】図１
2013016107.tif 000002
【特許請求の範囲】
【請求項１】
カード型端末と、無線ＬＡＮと、サーバとを有し、無線ＬＡＮと、サーバとが通信網に接続されている情報提供システムであって、
サーバは、ＵＲＬで指定されるコンテンツを管理する手段を有し、
カード型端末は、無線ＬＡＮの個々のアクセスポイントごとの設定情報及びコンテンツのＵＲＬを含む情報を記憶する手段と、順番に、個々のアクセスポイントごとの設定情報を用いて、個々のアクセスポイントとの接続を試みる手段と、接続できたアクセスポイントのコンテンツを、このコンテンツのＵＲＬで指定してサーバから取得して表示する手段とを有することを特徴とする情報提供システム。
【請求項２】
ゲートと、カード型端末と、無線ＬＡＮと、サーバとを有し、無線ＬＡＮと、サーバとが通信網に接続されている情報提供システムであって、
サーバは、ＵＲＬで指定されるコンテンツを管理する手段を有し、
ゲートは、無線ＬＡＮの個々のアクセスポイントごとの設定情報及びコンテンツのＵＲＬを含む情報を記憶する手段と、この情報を非接触でカード型端末に送信する手段と、
カード型端末は、この情報を非接触でゲートから受信する手段と、受信した情報を記憶する手段と、順番に、個々のアクセスポイントごとの設定情報を用いて、個々のアクセスポイントとの接続を試みる手段と、接続できたアクセスポイントのコンテンツを、このコンテンツのＵＲＬで指定してサーバから取得して表示する手段とを有することを特徴とする情報提供システム。
【請求項３】
個々のアクセスポイントごとのコンテンツは、個々のアクセスポイント周辺の地図データであることを特徴とする請求項１又は２記載の情報提供システム。
【請求項４】
カード型端末と、無線ＬＡＮと、サーバとを有し、無線ＬＡＮと、サーバとが通信網に接続されているシステムで行なわれる方法であって、
サーバは、ＵＲＬで指定されるコンテンツを管理する工程を行い、
カード型端末は、無線ＬＡＮの個々のアクセスポイントごとの設定情報及びコンテンツのＵＲＬを含む情報を記憶する工程と、順番に、個々のアクセスポイントごとの設定情報を用いて、個々のアクセスポイントとの接続を試みる工程と、接続できたアクセスポイントのコンテンツを、このコンテンツのＵＲＬで指定してサーバから取得して表示する工程とを行なうことを特徴とする情報提供方法。
【請求項５】
ゲートと、カード型端末と、無線ＬＡＮと、サーバとを有し、無線ＬＡＮと、サーバとが通信網に接続されているシステムで行なわれる方法であって、
サーバは、ＵＲＬで指定されるコンテンツを管理する工程を行い、
ゲートは、無線ＬＡＮの個々のアクセスポイントごとの設定情報及びコンテンツのＵＲＬを含む情報を記憶する工程と、この情報を非接触でカード型端末に送信する工程とを行い、
カード型端末は、この情報を非接触でゲートから受信する工程と、受信した情報を記憶する工程と、順番に、個々のアクセスポイントごとの設定情報を用いて、個々のアクセスポイントとの接続を試みる工程と、接続できたアクセスポイントのコンテンツを、このコンテンツのＵＲＬで指定してサーバから取得して表示する工程とを行うことを特徴とする情報提供方法。
【請求項６】
個々のアクセスポイントごとのコンテンツは、個々のアクセスポイント周辺の地図データであることを特徴とする請求項４又は５記載の情報提供方法。
【発明の詳細な説明】
【技術分野】
【０００１】
本発明は、情報提供システム及び方法に関する。
【背景技術】
【０００２】
従来から、ＧＰＳにより取得した位置情報に対応する配信情報を提供するシステムが知られている（引用文献１参照）。しかしながら、ＧＰＳは屋内では使えない。
【０００３】
また従来から、非接触通信技術を利用して携帯端末に個人に特化した情報を提供するシステムが知られている（引用文献２参照）。しかしながら、このシステムは、個人の現在位置に対応する情報を提供できない。
【先行技術文献】
【特許文献】
【０００４】
【特許文献１】特開２００１−２１７７８９号公報
【特許文献２】特開２００３−２４４０５９号公報
【発明の概要】
【発明が解決しようとする課題】
【０００５】
本発明は斯かる背景技術に鑑みてなされたもので、ＧＰＳによらず現在位置に対応した情報を提供することを課題とする。
【課題を解決するための手段】
【０００６】
本発明において上記課題を解決するために、まず請求項１の発明では、カード型端末と、無線ＬＡＮと、サーバとを有し、無線ＬＡＮと、サーバとが通信網に接続されている情報提供システムであって、
サーバは、ＵＲＬで指定されるコンテンツを管理する手段を有し、
カード型端末は、無線ＬＡＮの個々のアクセスポイントごとの設定情報及びコンテンツのＵＲＬを含む情報を記憶する手段と、順番に、個々のアクセスポイントごとの設定情報を用いて、個々のアクセスポイントとの接続を試みる手段と、接続できたアクセスポイントのコンテンツを、このコンテンツのＵＲＬで指定してサーバから取得して表示する手段とを有することを特徴とする情報提供システムとしたものである。
【０００７】
また請求項２の発明では、ゲートと、カード型端末と、無線ＬＡＮと、サーバとを有し、無線ＬＡＮと、サーバとが通信網に接続されている情報提供システムであって、
サーバは、ＵＲＬで指定されるコンテンツを管理する手段を有し、
ゲートは、無線ＬＡＮの個々のアクセスポイントごとの設定情報及びコンテンツのＵＲＬを含む情報を記憶する手段と、この情報を非接触でカード型端末に送信する手段と、
カード型端末は、この情報を非接触でゲートから受信する手段と、受信した情報を記憶する手段と、順番に、個々のアクセスポイントごとの設定情報を用いて、個々のアクセスポイントとの接続を試みる手段と、接続できたアクセスポイントのコンテンツを、このコンテンツのＵＲＬで指定してサーバから取得して表示する手段とを有することを特徴とする情報提供システムとしたものである。
【０００８】
また請求項３の発明では、個々のアクセスポイントごとのコンテンツは、個々のアクセスポイント周辺の地図データであることを特徴とする請求項１又は２記載の情報提供シス
テムとしたものである。
【０００９】
また請求項４の発明では、カード型端末と、無線ＬＡＮと、サーバとを有し、無線ＬＡＮと、サーバとが通信網に接続されているシステムで行なわれる方法であって、
サーバは、ＵＲＬで指定されるコンテンツを管理する工程を行い、
カード型端末は、無線ＬＡＮの個々のアクセスポイントごとの設定情報及びコンテンツのＵＲＬを含む情報を記憶する工程と、順番に、個々のアクセスポイントごとの設定情報を用いて、個々のアクセスポイントとの接続を試みる工程と、接続できたアクセスポイントのコンテンツを、このコンテンツのＵＲＬで指定してサーバから取得して表示する工程とを行なうことを特徴とする情報提供方法としたものである。
【００１０】
また請求項５の発明では、ゲートと、カード型端末と、無線ＬＡＮと、サーバとを有し、無線ＬＡＮと、サーバとが通信網に接続されているシステムで行なわれる方法であって、
サーバは、ＵＲＬで指定されるコンテンツを管理する工程を行い、
ゲートは、無線ＬＡＮの個々のアクセスポイントごとの設定情報及びコンテンツのＵＲＬを含む情報を記憶する工程と、この情報を非接触でカード型端末に送信する工程とを行い、
カード型端末は、この情報を非接触でゲートから受信する工程と、受信した情報を記憶する工程と、順番に、個々のアクセスポイントごとの設定情報を用いて、個々のアクセスポイントとの接続を試みる工程と、接続できたアクセスポイントのコンテンツを、このコンテンツのＵＲＬで指定してサーバから取得して表示する工程とを行うことを特徴とする情報提供方法としたものである。
【００１１】
また請求項６の発明では、個々のアクセスポイントごとのコンテンツは、個々のアクセスポイント周辺の地図データであることを特徴とする請求項４又は５記載の情報提供方法としたものである。
【発明の効果】
【００１２】
本発明は、カード型端末が、接続できたアクセスポイントのコンテンツをサーバから取得して表示するので、ＧＰＳによらず現在位置に対応した情報を提供できるという効果がある。
【図面の簡単な説明】
【００１３】
【図１】情報提供システムの構成例を示す図。
【図２】ゲートの構成例を示す図。
【図３】カード型端末の構成例を示す図。
【図４】デジタルサイネージエリアの構成例を示す図。
【図５】個々のアクセスポイントを識別するＳＳＩＤと、個々のアクセスポイント周辺の地図データのＵＲＬとの組のリストの例を示す図。
【図６】カード型端末を持ってデジタルサイネージエリアに入り歩き回るときになされる処理の流れの例を示すフローチャート。
【発明を実施するための形態】
【００１４】
以下に、本発明の一実施形態を説明する。
【００１５】
本実施形態は、図１に示すように、ゲート１０と、カード型端末２０と、無線ＬＡＮ（Ｌｏｃａｌ  Ａｒｅａ  Ｎｅｔｗｏｒｋ）３０と、サーバ４０とを有する情報提供システム１であって、無線ＬＡＮ３０と、サーバ４０とはインターネット等の通信網５０に接続されている。
【００１６】
無線ＬＡＮ３０は、図４に示すように、デジタルサイネージエリア６０に、複数のアクセスポイント３２を有し、個々のアクセスポイント３２は、個々の電波到達エリア３１が、互いに重ならず、デジタルサイネージエリア６０全体を覆うように配置されている。
【００１７】
ゲート１０は、例えば、デジタルサイネージエリア６０の入口に配置されていてもよい。
【００１８】
ゲート１０は、図２に示すように、リーダライタ１１と、記憶部１２とを有する。
【００１９】
リーダライタ１１は、図３に示すカード型端末２０の非接触通信部２３との間で、非接触のデータ通信を行い、記憶部１２に記憶されている情報を、非接触通信部２３に送信する装置である。この非接触のデータ通信は、ＮＦＣ（Ｎｅａｒ  Ｆｉｅｌｄ  Ｃｏｍｍｕｎｉｃａｔｉｏｎ）規格のピアツーピア（Ｐ２Ｐ）通信によるものが、Ａタイプ、Ｂタイプ、フェリカタイプの何れにも対応できるので好ましい。
【００２０】
記憶部１２は、情報を記憶する装置である。記憶部１２に記憶される情報には、例えば、個々のアクセスポイント３２に接続して通信を確立するのに、カード型端末２０で設定が必要となる、個々のアクセスポイント３２ごとの設定情報、そして、図５に示すような、個々のアクセスポイント３２を識別するＳＳＩＤと、個々のアクセスポイント３２ごとのコンテンツのＵＲＬとの組のリストなどがある。
【００２１】
設定情報には、例えば、ＳＳＩＤ（Ｓｅｒｖｉｃｅ  Ｓｅｔ  ＩＤｅｎｔｉｆｉｅｒ）、鍵などの情報がある。ここで、ＳＳＩＤは、個々のアクセスポイント３２の識別子である。また、鍵は、暗号化通信を行なう際に必要となる情報である。例えば、このような鍵には、ＷＰＡ（Ｗｉ−Ｆｉ  Ｐｒｏｔｅｃｔｅｄ  Ａｃｃｅｓｓ  ２）で規定される鍵がある。
【００２２】
また、個々のアクセスポイント３２ごとのコンテンツには、例えば、図５に示すような、個々のアクセスポイント３２周辺の地図データ、この周辺に展示されている物品のリストなどの情報が挙げられる。
【００２３】
尚、ゲート１０の代わりに、記憶装置を備えるリーダライタを用い、この記憶装置に、記憶部１２に記憶される情報を記憶してもよい。
【００２４】
カード型端末は、図３に示すように、ＣＰＵ２１と、無線ＬＡＮ通信部２２と、非接触通信部２３と、不揮発性メモリ２４と、バッファメモリ２５と、表示デバイス２６と、キーパッド２７とを有する。
【００２５】
ＣＰＵ２１は、不揮発性メモリ２４から種々のプログラムをロードし、ロードしたプログラムに従って処理を行なう装置である。
【００２６】
無線ＬＡＮ通信部２２は、アンテナを内蔵し、アクセスポイント３２を介して無線ＬＡＮ３０でデータ通信をする装置である。
【００２７】
非接触通信部２３は、非接触ＩＣチップとアンテナとを有し、リーダライタ１１と、非接触のデータ通信を行なう装置である。この非接触ＩＣチップは、ＮＦＣ（Ｎｅａｒ  Ｆｉｅｌｄ  Ｃｏｍｍｕｎｉｃａｔｉｏｎ）規格のピアツーピア（Ｐ２Ｐ）通信に対応したものが、Ａタイプ、Ｂタイプ、フェリカタイプの何れにも対応できるので好ましい。
【００２８】
不揮発性メモリ２４は、種々のメモリ及びプログラムを永続的に記憶する装置である。
【００２９】
バッファメモリ２５は、表示デバイス２６で表示する情報を一時的に記憶する装置である。
【００３０】
表示デバイス２６は、バッファメモリ２５に一時的に記憶されている情報を表示する装置である。
【００３１】
キーパッド２７は、データを入力する装置である。
【００３２】
サーバ４０は、ＵＲＬで指定されるコンテンツを保存し管理するサーバである。
【００３３】
以下に、カード型端末２０を持ってデジタルサイネージエリア６０に入り歩き回るときになされる処理の流れの例を、図６のフローチャートに従って説明する。
【００３４】
Ｓ（ＳＴＥＰ）１；
カード型端末２０をゲート１０にタッチする。
【００３５】
Ｓ（ＳＴＥＰ）２；
リーダライタ１１は、記憶部１２から、個々のアクセスポイント３２と接続して通信を確立するのに、カード型端末２０で設定が必要となる、個々のアクセスポイント３２ごとの設定情報、及び、個々のアクセスポイント３２を識別するＳＳＩＤと、個々のアクセスポイント３２ごとのコンテンツのＵＲＬとの組のリストを含む情報を読み出して、カード型端末２０の非接触通信部２３に送信する。
【００３６】
Ｓ（ＳＴＥＰ）３；
カード型端末２０は、非接触通信部２３にて、上記設定情報及び上記リストを含む情報を受信して、不揮発性メモリ２４に記憶する。
【００３７】
Ｓ（ＳＴＥＰ）４；
カード型端末２０は、上記リストから最初のＳＳＩＤを読み出す。
【００３８】
Ｓ（ＳＴＥＰ）５；
読み出したＳＳＩＤで識別されるアクセスポイント３２の設定情報を用いて、読み出したＳＳＩＤで識別されるアクセスポイント３２との接続を試み、
接続できなかった場合は、ＳＴＥＰ６に進み、
接続できた場合は、ＳＴＥＰ７に進む。
【００３９】
Ｓ（ＳＴＥＰ）６；
カード型端末２０は、上記リストから次のＳＳＩＤを読み出し、ＳＴＥＰ５に戻る。
【００４０】
Ｓ（ＳＴＥＰ）７；
カード型端末２０は、現在いるエリアを、接続できたアクセスポイント３２の電波到達エリア３１と特定する。
【００４１】
Ｓ（ＳＴＥＰ）８；
カード型端末２０は、上記リストから、接続できたアクセスポイント３２のＳＳＩＤと組になっているＵＲＬを読み出す。
【００４２】
Ｓ（ＳＴＥＰ）９；
カード型端末２０は、読み出したＵＲＬで指定されるコンテンツを、サーバから取得して表示する。このコンテンツには、例えば、図５に示すような、個々のアクセスポイント３２周辺の地図データ、この周辺に展示されている物品のリストなどの情報が挙げられる。
【００４３】
尚、個々のアクセスポイント３２と接続して通信を確立するのに、カード型端末２０で設定が必要となる、個々のアクセスポイント３２ごとの設定情報、及び、個々のアクセスポイント３２を識別するＳＳＩＤと、個々のアクセスポイント３２ごとのコンテンツのＵＲＬとの組のリストを含む情報は、予め不揮発性メモリ２４に記憶していてもよく、或いは、この情報を、キーパッド２７、又は、キーパッド２７以外の入力装置をカード型端末に設けることにより、入力して不揮発性メモリ２４に記憶していてもよい。
【符号の説明】
【００４４】
１…情報提供システム
１０…ゲート
１１…リーダライタ
１２…記憶部
２０…カード型端末
２１…ＣＰＵ
２２…無線ＬＡＮ通信部
２３…非接触通信部
２４…不揮発性メモリ
２５…バッファメモリ
２６…表示デバイス
２７…キーパッド
３０…無線ＬＡＮ
３１…電波到達エリア
３２…アクセスポイント
４０…サーバ
５０…通信網
６０…デジタルサイネージエリア
【図１】
2013016107.tif 000003
【図２】
2013016107.tif 000004
【図３】
2013016107.tif 000005
【図４】
2013016107.tif 000006
【図５】
2013016107.tif 000007
【図６】
2013016107.tif 000008